(57)【要約】【課題】  コンタクトの芯数によって展開自在にでき、１つの金型によってハウジング製作することができる雌雄同体コネクタを提供すること。【解決手段】  第１のコンタクト１１と第２のコンタクト２１とを有し、ハウジング３１は前記第１のコンタクト１１を備えた雄部４１と、前記第２のコンタクト２１を備えた雌部５１とを有し、前記雄部４１と前記雌部５１とは交互に連続して配置されており、前記雄部４１は雄嵌合部４５を有し、前記雌部５１は前記雄嵌合部４５が挿入される雌嵌合部５５を有し、前記第１及び第２のコンタクト１１，２１には、前記ハウジング３１に圧入する際の押圧部１７，２７を有する。【選択図】    図１
2007157649.tif 000002
【特許請求の範囲】
【請求項１】
コンタクトと、該コンタクトを保持するハウジングとからなる雌雄同体コネクタにおいて、
前記コンタクトは、第１のコンタクトと、第２のコンタクトとを有し、
前記ハウジングは、一対の前記第１のコンタクトを備えた雄部と、一対の前記第２のコンタクトを備えた雌部とを有し、
前記第１及び第２のコンタクトのピッチ方向において、前記雄部と前記雌部とは交互に連続して配置されており、
前記雄部は角柱状の雄嵌合部を有し、前記角柱の対向する辺に一対の前記第１のコンタクトが配設されており、
前記雌部は、前記雄嵌合部が挿入される雌嵌合部を有し、該雌嵌合部は対向する一対の側壁を有し、対向する一対の前記側壁内に一対の前記第２のコンタクトが配設されており、
前記第１及び第２のコンタクトは、前記ハウジングに圧入保持されるものであり、前記第１及び第２のコンタクトには、前記第１及び第２のコンタクトのそれぞれを前記ハウジングに圧入する際の押圧部を有することを特徴とする雌雄同体コネクタ。
【請求項２】
請求項１記載の雌雄同体コネクタにおいて、前記ハウジングの前記雄部と前記雌部との間には、前記ハウジングを前記雄部と前記雌部とを任意の箇所で切断可能となす切欠き部が形成されていることを特徴とする雌雄同体コネクタ。
【請求項３】
コンタクトと、該コンタクトを保持するハウジングとからなる雌雄同体コネクタの製造方法において、
前記コンタクトは、第１のコンタクトと、第２のコンタクトとを有し、
前記ハウジングは、一対の前記第１のコンタクトを備えた雄部と、一対の前記第２のコンタクトを備えた雌部とを有し、
前記第１及び第２のコンタクトのピッチ方向において、前記雄部と前記雌部とは交互に連続して配置されており、
前記雄部は角柱状の雄嵌合部を有し、前記角柱の対向する辺に一対の前記第１のコンタクトが配設されており、
前記雌部は、前記雄嵌合部が挿入される雌嵌合部を有し、該雌嵌合部は対向する一対の側壁を有し、対向する一対の前記側壁内に一対の前記第２のコンタクトが配設されており、
前記第１及び第２のコンタクトは、前記ハウジングに圧入保持されるものであり、前記第１及び第２のコンタクトには、前記第１及び第２のコンタクトのそれぞれを前記ハウジングに圧入する際の押圧部を有し、
前記第１のコンタクトと前記第２のコンタクトとが交互に連続してキャリアに連結形成され、
前記第１のコンタクト及び前記第２のコンタクトを前記ハウジングに挿入する際、前記第１のコンタクト及び前記第２のコンタクトの前記押圧部を押圧して、前記キャリアに連結された前記前記第１のコンタクト及び前記第２のコンタクトを前記ハウジングに一括圧入するようにしたことを特徴とする雌雄同体コネクタの製造方法。
【発明の詳細な説明】
【技術分野】
【０００１】
本発明は、雌雄が同じ形状のコネクタ同士を接続する雌雄同体コネクタに関する。
【背景技術】
【０００２】
従来技術１としては、ソケットコンタクトとピンコンタクトとインシュレータとからなる雌雄同体コネクタがある（例えば、特許文献１を参照）。
【０００３】
この雌雄同体コネクタは、ソケットコンタクトとピンコンタクトとインシュレータとからなる雌雄同体のコネクタを嵌合することによってピンコンタクトとソケットコネクタとを接続する。
【０００４】
従来技術２としては、コンタクトの自由端が凹んだ嵌合ブロック部から嵌合方向に露出している雌雄同体コネクタが知られている（例えば、特許文献２を参照）。
【０００５】
【特許文献１】特開２００１−３０７８４６号公報
【特許文献２】特開２００１−１４３７８７号公報
【発明の開示】
【発明が解決しようとする課題】
【０００６】
特許文献１における雌雄同体コネクタは、ソケットコンタクトとピンコンタクトの芯数が変わる度に、インシュレータを新しい金型によって製作しなければならないという問題がある。
【０００７】
また、特許文献２における雌雄同体コネクタは、コンタクトの周囲にインシュレータがないので、コンタクトに外力が加わった場合、コンタクトを曲げてしまったり、破損したりという問題がある。
【０００８】
また、特許文献２における雌雄同体コネクタは、インシュレータがコンタクトの回りにないので、嵌合ガイドを両端に位置するボスとボス孔で設けなければならないという問題がある。
【０００９】
それ故に、本発明の課題は、コンタクトの芯数によって展開自在にできる雌雄同体コネクタを提供することにある。
【００１０】
また、本発明の他の課題は、使用するコンタクトの芯数が変わる場合においても、１つの金型によってハウジングやコンタクトを製作することができる雌雄同体コネクタを提供することにある。
【００１１】
また、本発明の他の課題は、コンタクトが外力によって変形や破壊することを防止することができる雌雄同体コネクタを提供することにある。
【課題を解決するための手段】
【００１２】
本発明は、コンタクトと、該コンタクトを保持するハウジングとからなる雌雄同体コネクタにおいて、前記コンタクトは、第１のコンタクトと、第２のコンタクトとを有し、前記ハウジングは、一対の前記第１のコンタクトを備えた雄部と、一対の前記第２のコンタクトを備えた雌部とを有し、前記第１及び第２のコンタクトのピッチ方向において、前記雄部と前記雌部とは交互に連続して配置されており、前記雄部は角柱状の雄嵌合部を有し、前記角柱の対向する辺に一対の前記第１のコンタクトが配設されており、前記雌部は、前記雄嵌合部が挿入される雌嵌合部を有し、該雌嵌合部は対向する一対の側壁を有し、対向する一対の前記側壁内に一対の前記第２のコンタクトが配設されており、前記第１及び第２のコンタクトは、前記ハウジングに圧入保持されるものであり、前記第１及び第２のコンタクトには、前記第１及び第２のコンタクトのそれぞれを前記ハウジングに圧入する際の押圧部を有することを特徴とする雌雄同体コネクタであることを最も主要な特徴とする。
【００１３】
また、コンタクトと、該コンタクトを保持するハウジングとからなる雌雄同体コネクタの製造方法において、前記コンタクトは、第１のコンタクトと、第２のコンタクトとを有し、前記ハウジングは、一対の前記第１のコンタクトを備えた雄部と、一対の前記第２のコンタクトを備えた雌部とを有し、前記第１及び第２のコンタクトのピッチ方向において、前記雄部と前記雌部とは交互に連続して配置されており、前記雄部は角柱状の雄嵌合部を有し、角柱の対向する辺に一対の前記第１のコンタクトが配設されており、前記雌部は、前記雄嵌合部が挿入される雌嵌合部を有し、該雌嵌合部は対向する一対の側壁を有し、対向する一対の前記側壁内に一対の前記第２のコンタクトが配設されており、前記第１及び第２のコンタクトは、前記ハウジングに圧入保持されるものであり、前記第１及び第２のコンタクトには、前記第１及び第２のコンタクトのそれぞれを前記ハウジングに圧入する際の押圧部を有し、前記第１のコンタクトと前記第２のコンタクトとが交互に連続してキャリアに連結形成され、前記第１のコンタクト及び前記第２のコンタクトを前記ハウジングに挿入する際、前記第１のコンタクト及び前記第２のコンタクトの前記押圧部を押圧して、前記キャリアに連結された前記前記第１のコンタクト及び前記第２のコンタクトを前記ハウジングに一括圧入するようにしたことを特徴とする雌雄同体コネクタの製造方法であることを最も主要な特徴とする。
【発明の効果】
【００１４】
本発明の雌雄同体コネクタは、隣接ピッチごとに第１のコンタクトと第２のコンタクトが交互に配置されているので、ハウジングを分割して使用することが可能となる。
【００１５】
また、第１のコンタクト及び第２のコンタクトの芯数は、自在に分割することができるので、インシュレータをコンタクトの最大芯数の金型を１つ製作しておけばよく、金型の低コスト化が可能となる。
【００１６】
また、第１のコンタクトおよび第２のコンタクトは、ハウジングによって保護されているので外力によって変形したり、破損することがなく、雌雄のハウジング同士が嵌合時にガイドの役目を果たすことができる。
【００１７】
また、ハウジング及びコンタクトは、各１つの金型によって製作できるので、製品管理も１つですむなど低コスト化が可能である。
【発明を実施するための最良の形態】
【００１８】
本発明の雌雄同体コネクタは、コンタクトと、該コンタクトを保持するハウジングとからなる雌雄同体コネクタにおいて、前記コンタクトは、第１のコンタクトと、第２のコンタクトとを有し、前記ハウジングは、一対の前記第１のコンタクトを備えた雄部と、一対の前記第２のコンタクトを備えた雌部とを有し、前記第１及び第２のコンタクトのピッチ方向において、前記雄部と前記雌部とは交互に連続して配置されており、前記雄部は角柱状の雄嵌合部を有し、前記角柱の対向する辺に一対の前記第１のコンタクトが配設されており、前記雌部は、前記雄嵌合部が挿入される雌嵌合部を有し、該雌嵌合部は対向する一対の側壁を有し、対向する一対の前記側壁内に一対の前記第２のコンタクトが配設されており、前記第１及び第２のコンタクトは、前記ハウジングに圧入保持されるものであり、前記第１及び第２のコンタクトには、前記第１及び第２のコンタクトのそれぞれを前記ハウジングに圧入する際の押圧部を有することにより実現する。
【００１９】
また、本発明の雌雄同体コネクタの製造方法は、コンタクトと、該コンタクトを保持するハウジングとからなる雌雄同体コネクタの製造方法において、前記コンタクトは、第１のコンタクトと、第２のコンタクトとを有し、前記ハウジングは、一対の前記第１のコンタクトを備えた雄部と、一対の前記第２のコンタクトを備えた雌部とを有し、前記第１及び第２のコンタクトのピッチ方向において、前記雄部と前記雌部とは交互に連続して配置されており、前記雄部は角柱状の雄嵌合部を有し、角柱の対向する辺に一対の前記第１のコンタクトが配設されており、前記雌部は、前記雄嵌合部が挿入される雌嵌合部を有し、該雌嵌合部は対向する一対の側壁を有し、対向する一対の前記側壁内に一対の前記第２のコンタクトが配設されており、前記第１及び第２のコンタクトは、前記ハウジングに圧入保持されるものであり、前記第１及び第２のコンタクトには、前記第１及び第２のコンタクトのそれぞれを前記ハウジングに圧入する際の押圧部を有し、前記第１のコンタクトと前記第２のコンタクトとが交互に連続してキャリアに連結形成され、前記第１のコンタクト及び前記第２のコンタクトを前記ハウジングに挿入する際、前記第１のコンタクト及び前記第２のコンタクトの前記押圧部を押圧して、前記キャリアに連結された前記前記第１のコンタクト及び前記第２のコンタクトを前記ハウジングに一括圧入するようにしたことによりに実現する。
【実施例１】
【００２０】
図１乃至図４は、本発明の雌雄同体コネクタの実施例１を示している。図１乃至図４を参照して、雌雄同体コネクタ１は、導電性の第１のコンタクト（ピンコンタクト）１１と、導電性の第２のコンタクト（ソケットコンタクト）２１と、複数の第１のコンタクト１１及び複数の第２のコンタクト２１を保持する絶縁性のハウジング３１とを有している。
【００２１】
第１のコンタクト１１は、図５にも示すように、一対が線対称で対向するようにハウジング３１に２列に配列されている。第１のコンタクト１１は、ハウジング３１に保持される第１の保持部１３と、第１の保持部１３の一端から一側へ延びている第１の接触部１４と、第１の保持部１３の他端から第１の連結部１５を介して他側へ延びている第１の端子部１６とを有している。
【００２２】
第１の保持部１３、第１の連結部１５及び第１の端子部１６は、これらを図５によって側面から見ると略クランク形状を呈している。第１の保持部１３の他端には、第１の連結部１５よりも他側へ少し延びている第１の押圧部１７が形成されている。また、第１の保持部１３には、第１のコンタクト１１の板幅方向に突出している複数の第１の突起部１８が形成されている。
【００２３】
第２のコンタクト２１は、図６にも示すように、一対が線対称で対向するようにハウジング３１に２列に配列されている。第２のコンタクト２１は、ハウジング３１に保持される第２の保持部２３と、第２の保持部２３の一端から一側へ延びている弾性変位が可能な第２の接触部２４と、第２の保持部２３の他端から第２の連結部２５を介して他側へ延びている第２の端子部２６とを有している。
【００２４】
第２の保持部２３、第２の連結部２５及び第２の端子部２６は、これらを図６によって側面から見ると略クランク形状を呈している。第１の保持部２３の他端には、第２の連結部２５よりも他側へ少し延びている第２の押圧部２７が形成されている。
【００２５】
さらに、第２の接触部２４の端部には、第１の接触部１４に接触する接点部２４ａが形成されている。接点部２４ａは、一対の第２のコンタクト２１が対向してハウジング３１に保持された状態において、互いに対向する向きへ突出している形状を呈している。また、第２の保持部２３には、第２のコンタクト２１の板幅方向に突出している複数の第２の突起部２８が形成されている。
【００２６】
ハウジング３１は、複数の雄部４１と複数の雌部５１とを有する。雄部４１は、図５によって最もよくわかるように、一対の第１のコンタクト１１の第１の保持部１３を保持する雄基部４３と、雄基部４３の第１の基部面４３ａから第１の基部面４３ａ上へ延びている角柱形状の雄嵌合部４５とを有している。
【００２７】
雄嵌合部４５の角柱壁面の一対の辺４５ａのそれぞれには、一対の第１のコンタクト１１の第１の接触部１４が一対一に当接している。雄基部４３には、第１の基部面４３ａ及び第１の基部面４３ａに対向する第１の基部底面４３ｂ間に第１の貫通孔４７が形成されている。第１の貫通孔４７の内壁には、一対の第１のコンタクト１１の第１の保持部１３の第１の突起部１８が圧入されて保持されている。
【００２８】
第１のコンタクト１１の第１の連結部１５は、第１の基部底面４３ｂに対向するように位置している。第１の端子部１６は、第１の基部底面４３ｂから外へ延びている。さらに、第１の押圧部１７は、第１の基部底面４３ｂよりも外へ延びている。
【００２９】
したがって、一対の第１のコンタクト１１は、雄嵌合部４５を中心として左右に線対称で対向するようにハウジング３１に配設されている。
【００３０】
雌部５１は、図６によって最もよくわかるように、一対の第２のコンタクト２１の第２の保持部２３を保持する雌基部５３と、雌基部５３の第２の基部面５３ａから第２の基部面５３ａ上に形成されている一対の雌嵌合部５５とを有する。
【００３１】
雌嵌合部５５は、雄嵌合部４５を受け入れて嵌合できるように、第２の基部面５３ａ上に形成されている一対の側壁５５ａ間に位置している大きな中空形状の溝部分である。一対の側壁５５ａの開口端部には、斜めに切り欠いて形成されている誘い部５５ｂが形成されている。
【００３２】
雌嵌合部５５には、一対の側壁５５ａの内側面に形成されている雌側溝部５５ｄに一対の第２のコンタクト２１の第２の接触部２４が位置している。さらに、雌嵌合部５５には、第２のコンタクト２１の接点部２４ａが位置している。
【００３３】
雌基部５３には、第２の基部面５３ａ及び第２の基部面５３ａに対向する第２の基部底面５３ｂ間に第２の貫通孔５７が形成されている。第２の貫通孔５７の内壁には、一対の第２のコンタクト２１の第２の保持部２３の第２の突起部２８が圧入されて保持されている。
【００３４】
第２のコンタクト２１の第２の連結部２５は、第２の基部底面５３ｂに対向するように位置している。第２の端子部２６は、第２の基部底面５３ｂから外へ延びている。さらに、第２の押圧部２７は、第２の基部底面５３ｂよりも外へ延びている。
【００３５】
したがって、一対の第２のコンタクト２１は、雌嵌合部５５を中心として左右に線対称で対向するようにハウジング３１に配設されている。
【００３６】
雄部４１と雌部５１とは、ハウジング３１の長手方向において交互に連続して配置されている。雄基部４３及び雌基部５３は共通部分となっている。第１のコンタクト１１は、雄部４１で一対が対向している。第２のコンタクト２１は、雌部５１で一対が対向している。各一対の第１及び第２のコンタクト１１，２１は、長手方向である第１及び第２のコンタクト１１，２１のピッチ方向において隣接ピッチ間で交互に配列されている。
【００３７】
第１のコンタクト１１の第１の押圧部１７は、第１のコンタクト１１をハウジング３１の第１の貫通孔４７に圧入する際に押圧する部分となる。第２のコンタクト２１の第２の押圧部２５は、第２のコンタクト２１をハウジング３１の第２の貫通孔５７に圧入する際に押圧する部分となる。
【００３８】
さらに、図１、図２及び図４に示したように、雄部４１と雌部５１との間には、切り欠き部（割れ目）６１が形成されている。すなわち、ハウジング３１には、第１及び第２の基部面４３ａ，５３ａと第１及び第２の基部面４３ａ，５３ａに対向しているハウジング３１の設置面３１ｅとから互いに近づく向きに切り欠き部６１が形成されている。切り欠き部６１は、ハウジング３１の雄部４１と雌部５１とで任意に切断可能になす役目を果たす。
【００３９】
図７は、一方の雌雄同体コネクタ１と、他方の雌雄同体コネクタ１´とを嵌合する途中の状態を示している。図８は、一方の雌雄同体コネクタ１と、他方の雌雄同体コネクタ１´とが嵌合した状態を示している。
【００４０】
第１のコンタクト１１は、第１の保持部１３の第１の突起部１８が第１の貫通孔４７に挿入されて第１の貫通孔４７の内壁に圧入されて保持される。この際、第１のコンタクト１１は、第１の押圧部１７を押圧治具によって押圧することによって圧入される。
【００４１】
第２のコンタクト２１は、第２の保持部２３の第２の突起部２８が第２の貫通孔５７に挿入されて第２の貫通孔５７の内壁に圧入されて保持される。この際、第２のコンタクト２１は、第２の押圧部２７を押圧治具によって押圧することによって圧入される。
【００４２】
第１の端子部１６は、プリント配線基板８１に形成されているスルーホール８１ａに挿入されて半田によってプリント配線基板８１の導電部と接続される。
【００４３】
第２の端子部２６は、プリント配線基板７１に形成されているスルーホール７１ａに挿入されて半田によってプリント配線基板７１の導電部と接続される。
【００４４】
なお、プリント配線基板７１，８１のスルーホール７１ａ，８１ｂには、第１及び第２の端子部１６，２６をプレスフィットによって圧入して接続するようにしてもよい。また、プリント配線基板７１，８１の表面の導電部に雌雄同体コネクタ１，１´を半田によって接続する場合には、第１及び第２の端子部１６，２６を導電部に対応するように曲げ加工を施して半田によって接続するようにしてもよい。
【００４５】
第１のコンタクト１１は、一方のコネクタ１が他方のコネクタ１´に嵌合することによって、第２のコンタクト２１に接触する。すなわち、図８に示したように、対向している一対の第１のコンタクト１１の第１の接触部１４は、雄嵌合部４５が雌嵌合部５５に誘い部５５ｂからガイドされて入り込んだときに、一対の第１のコンタクト１１の第２の接触部２４の接点部２４ａが弾性力をもって電気的に接触する。
【００４６】
なお、図１及び図２に示したように、雄嵌合部４５及び雌嵌合部５５には、ピッチ方向に第１のコンタクトと第２のコンタクトとが交互に配設されているので、各第１のコンタクト１１と第２のコンタクト２１とが一対一に接触する。
【００４７】
以下、雌雄同体コネクタ１の製造方法を説明する。図９乃至図１２は、キャリア９１に接続されている第１及び第２のコンタクト１１，２１を示している。
【００４８】
図９及び図１０を参照して、第１及び第２のコンタクト１１，２１は、薄い帯状の導電板をプレスによって打ち抜くことによって製作する。第１及び第２のコンタクト１１，２１は、１つのプレス打ち抜き金型を用いて交互に連続してキャリア９１に連結した状態で形成することによって製作される。この際、第１及び第２のコンタクト１１，２１は、プレス時に抜きの部分は捨てることになるので、その捨てる部分を最小にするために、図９に示したように上下２列で製作すると、導電板の捨てる部分を少なくすることで、コンタクト材料の低コスト化が図れる。
【００４９】
ハウジング３１は、樹脂によって成形されている。すなわち、ハウジング３１は、第１及び第２のコンタクト１１，２１の最大芯数によって製作するための金型を１つ製作し、連接してピッチ間で雄部４１及び雌部５１が交互に並ぶように成形する。
【００５０】
図１３に示すように、第１のコンタクト１１及び第２のコンタクト２１をハウジング３１に挿入する際、第１のコンタクト１１及び第２のコンタクト２１の第１及び第２の押圧部１７，２７を押圧して、キャリア９１に連結された第１のコンタクト１１及び第２のコンタクト２１をハウジング３１に一括圧入すると図１４に示したように第１及び第２のコンタクト１１，２１がハウジング３１に組み込まれる。
【００５１】
第１及び第２のコンタクト１１，２１は、２列に並べて自動機によってハウジング３１に圧入していくことができる。
【００５２】
次に、図１４に示した第１及び第２のコンタクト１１，２１がハウジング３１に組み込まれた状態からキャリア９１を切り離すと、図１５に示した雌雄同体コネクタ１の組み立てが完了する。
【００５３】
したがって、第１及び第２のコンタクト１１，２１を製作するプレスから雌雄同体コネクタ１の組み立てまでを自動機によって一連の工程で組み立てることが可能である。
【００５４】
図１６乃至図１８は、図１５に示した組み立て後の雌雄同体コネクタ１、１´を嵌合する過程を示している。図１６は嵌合前、図１７は嵌合途中、図１８は嵌合後の状態である。
【００５５】
図１５に示した最大芯数の雌雄同体コネクタ１は、雄部４１及び雌部５１の境界に切り欠け部６１が形成されているので。治具又は素手によって裂くことによって第１及び第２のコンタクト１１，２１の芯数を展開自在にすることができる。すなわち、ハウジング３１は、切り欠き部６１を起点として任意の芯数に自在に切断して雌雄同体コネクタ１として用いることが可能である。
【００５６】
図１９は、第１及び第２のコンタクト１１，２１が５連１０芯数となるように、切り欠き部６１を起点として切断して雌雄同体コネクタ１１１としたものである。この雌雄同体コネクタ１１１は、一対の第１のコンタクト１１が２つ、一対の第２のコンタクト２１が３つで構成されている。
【００５７】
図２０は、第１及び第２のコンタクト１１，２１が３連６芯数となるように、切り欠き部６１を起点として切断して雌雄同体コネクタ１１２としたものである。この雌雄同体コネクタ１１２は、一対の第１のコンタクト１１が２つ、一対の第２のコンタクト２１が１つで構成されている。
【００５８】
図２１は、第１及び第２のコンタクト１１，２１が２連４芯数となるように、切り欠き部６１を起点として切断して雌雄同体コネクタ１１３としたものである。この雌雄同体コネクタ１１３は、一対の第１のコンタクト１１が１つ、一対の第２のコンタクト２１が１つで構成されている。
【００５９】
図２２は、第２のコンタクト２１が１連２芯数となるように、切り欠き部６１を起点として切断して雌雄同体コネクタ１１４としたものである。この雌雄同体コネクタ１１４は、一対の第２のコンタクト２１が１つで構成されている。
【００６０】
図２３は、第１のコンタクト１１が１連２芯数となるように、切り欠き部６１を起点として切断して雌雄同体コネクタ１１５としたものである。この雌雄同体コネクタ１１５は、一対の第１のコンタクト１１が１つで構成されている。
【００６１】
なお、実施例１では、雄部４１に配設される第１のコンタクト１１をピンコンタクトとし、雌部５１に配設される第２のコンタクト２１をソケットコンタクトとして説明したが、図２４及び図２５に示すように、第１のコンタクト１１をソケットコンタクトとし、第２のコンタクト２１をピンコンタクトとしてもよい。
【００６２】
図２４及び図２５に示したハウジング３１は、図５及び図６に示したハウジング３１と若干形状が異なるが同じ機能を備えている。
【００６３】
図２４に示した第１のコンタクト１１は、ハウジング３１に保持される第１の保持部１３と、第１の保持部１３の一端から一側へ延びている弾性変位が可能な第１の接触部１４と、第１の保持部１３の他端から第１の連結部１５を介して他側へ延びている第１の端子部１６とを有している。
【００６４】
第１の保持部１３の他端には、第１の連結部１５よりも他側へ少し延びている第１の押圧部１７が形成されている。さらに、第１の接触部１４の端部には、図２５に示した第２の接触部２４に接触する接点部１４ａが形成されている。接点部１４ａは、一対の第１のコンタクト１１が対向してハウジング３１に保持された状態において、互いに対向する向きへ突出している形状を呈している。また、第１の保持部１３には、第１のコンタクト１１の板幅方向に突出している複数の第１の突起部１８が形成されている。
【００６５】
図２５に示した第２のコンタクト２１は、ハウジング３１に保持される第２の保持部２３と、第２の保持部２３の一端から一側へ延びている弾性変位が可能な第２の接触部２４と、第２の保持部２３の他端から第２の連結部２５を介して他側へ延びている第２の端子部２６とを有している。
【００６６】
第２の保持部２３の他端には、第２の連結部２５よりも他側へ少し延びている第２の押圧部２７が形成されている。さらに、第２の接触部２４は、嵌合時に図２４に示した第１の接触部１４の接点部１４ａに接触する。第２の保持部２３には、第２のコンタクト２１の板幅方向に突出している複数の第２の突起部２８が形成されている。
【産業上の利用可能性】
【００６７】
本発明の雌雄同体コネクタは、プリント配線基板間を接続するほかに、コンタクトにケーブルを接続したコネクタの用途としても適用できる。
【図面の簡単な説明】
【００６８】
【図１】本発明の雌雄同体コネクタの実施例１を示す正面図である。
【図２】図１に示した雌雄同体コネクタの平面図である。
【図３】図１に示した雌雄同体コネクタの側面図である。
【図４】図１に示した雌雄同体コネクタの底面図である。
【図５】図１に示した雌雄同体コネクタを線でV-V線で断面し拡大して示した断面図である。
【図６】図１に示した雌雄同体コネクタをVI-VI線で断面し拡大して示した断面図である。
【図７】図５及び図６に示した雌雄同体コネクタの嵌合途中の状態を示す断面図である。
【図８】図７に示した雌雄同体コネクタの嵌合時における状態を示した断面図である。
【図９】図１に示した雌雄同体コネクタの第１のコンタクト及び第２のコンタクトを製作する途中の工程を示しており、第１のコンタクト及び第２のコンタクトがキャリアに接続されている状態を示した正面図である。
【図１０】図９に示したキャリアに接続した状態の第１のコンタクト及び第２のコンタクトの底面図である。
【図１１】図９に示したキャリアに接続した状態の第１のコンタクトの１つを、キャリアの部分で断面して示した側面図である。
【図１２】図９に示したキャリアに接続した状態の第２のコンタクトの１つを、キャリアの部分で断面して示した側面図である。
【図１３】図９に示したキャリアに接続した状態の第１及び第２のコンタクトをハウジングに挿入する過程を説明するための正面図である。
【図１４】図１３に示したキャリアに接続した状態の第１及び第２のコンタクトをハウジングに挿入した状態を示す正面図である。
【図１５】図１４に示した第１及び第２のコンタクトからキャリアを切り離し、雌雄同体コネクタとした形態を示す正面図である。
【図１６】図１５に示した一方の雌雄同体コネクタともう一方の雌雄同体コネクタとを嵌合する前の状態を示した正面図である。
【図１７】図１６に示した一方の雌雄同体コネクタともう一方の雌雄同体コネクタとを嵌合する途中の状態を示した正面図である。
【図１８】図１７に示した一方の雌雄同体コネクタともう一方の雌雄同体コネクタとを嵌合した後の状態を示した正面図である。
【図１９】図１に示した雌雄同体コネクタを切り欠き部で切り裂いて雌雄同体コネクタとした一例を示す正面図である。
【図２０】図１に示した雌雄同体コネクタを切り欠き部で切り裂いて雌雄同体コネクタとした一例を示す正面図である。
【図２１】図１に示した雌雄同体コネクタを切り欠き部で切り裂いて雌雄同体コネクタとした一例を示す正面図である。
【図２２】図１に示した雌雄同体コネクタを切り欠き部で切り裂いて雌雄同体コネクタとした一例を示す正面図である。
【図２３】図１に示した雌雄同体コネクタを切り欠き部で切り裂いて雌雄同体コネクタとした一例を示す正面図である。
【図２４】図５に示した雌雄同体コネクタの雄部に第２のコンタクトを配設した形態の変形例を示した断面図である。
【図２５】図５に示した雌雄同体コネクタの雌部に第１のコンタクトを配設した形態の変形例を示した断面図である。
【符号の説明】
【００６９】
１，１´，１１１，１１２，１１３，１１４，１１５    雌雄同体コネクタ
１１    第１のコンタクト
１３    第１の保持部  
１４    第１の接触部  
１４ａ，２４ａ    接点部  
１６    第１の端子部  
１７    第１の押圧部  
１８    第１の突起部
２１    第２のコンタクト  
２３    第２の保持部  
２４    第２の接触部  
２６    第２の端子部
２７    第２の押圧部
２８    第２の突起部  
３１    ハウジング
４１    雄部  
４３    雄基部  
４５    雄嵌合部  
５１    雌部  
５３    雌基部  
５５    雌嵌合部  
５５ａ    側壁  
６１    切り欠き部  
７１，８１    プリント配線基板  
【図１】
2007157649.tif 000003
【図２】
2007157649.tif 000004
【図３】
2007157649.tif 000005
【図４】
2007157649.tif 000006
【図５】
2007157649.tif 000007
【図６】
2007157649.tif 000008
【図７】
2007157649.tif 000009
【図８】
2007157649.tif 000010
【図９】
2007157649.tif 000011
【図１０】
2007157649.tif 000012
【図１１】
2007157649.tif 000013
【図１２】
2007157649.tif 000014
【図１３】
2007157649.tif 000015
【図１４】
2007157649.tif 000016
【図１５】
2007157649.tif 000017
【図１６】
2007157649.tif 000018
【図１７】
2007157649.tif 000019
【図１８】
2007157649.tif 000020
【図１９】
2007157649.tif 000021
【図２０】
2007157649.tif 000022
【図２１】
2007157649.tif 000023
【図２２】
2007157649.tif 000024
【図２３】
2007157649.tif 000025
【図２４】
2007157649.tif 000026
【図２５】
2007157649.tif 000027